(57)【要約】【課題】表示装置の電気的な開閉駆動に連動した施解錠とともに手動による施錠が可能で且つ構成の簡単なモニター開閉装置を提供する。【解決手段】表示装置１１を車両等の天井面の所定箇所に開閉動作可能に支持するモニター開閉装置は、表示装置を開閉駆動するステッピングモーター２８と、表示装置を収納位置でロックするロック装置を有する。ロック装置は、表示装置の一端に設けられたストライカー４０と、コイルばね４９によりロック方向に付勢されたフォークレバー４６と、フォークレバーの進出を阻止するスライドプレート４７とを有する。スライドプレートは、表示装置が開位置から収納位置に近づいたとき該表示装置によってフォークレバーの進出を許容する方向に付勢されるように形成されている。【選択図】  図７
2004214791.tif 000002
【特許請求の範囲】
【請求項１】
表示装置を車両等の天井面の所定箇所に設けられた収納位置と天井面から吊下状態とされる開位置との間で開閉動作可能に支持するモニター開閉装置であって、
前記表示装置を開閉駆動する駆動装置と、前記表示装置を収納位置でロックするロック装置を備え、
前記ロック装置は、前記表示装置の一端に設けられたストライカーと、該ストライカーから離間したアンロック位置から該ストライカーをロック可能なロック位置に向かう方向に付勢されたフォークレバーと、前記フォークレバーのアンロック位置からの進出を阻止するスライドプレートとを有し、
前記スライドプレートは、前記表示装置が開位置から収納位置に近づいたとき該表示装置によって前記フォークレバーの進出を許容する方向に付勢されるように形成されていることを特徴とするモニター開閉装置。
【請求項２】
請求項１に記載のモニター開閉装置において、前記ロック装置は、前記駆動装置による前記表示装置の開動作に連動して駆動するロックモーターと、前記ロックモーターによって回動されるロックカムとを有し、前記ロックカムは前記フォークレバーに当接して前記フォークレバーをアンロック位置に移動させる突出部を有し、前記ロックモーターは、前記フォークレバーがアンロック位置とされた後、前記突出部が前記フォークレバーの駆動範囲外に位置されるように、前記ロックカムを回転するように構成されていることを特徴とするモニター開閉装置。
【請求項３】
請求項２に記載のモニター開閉装置において、前記フォークレバーを直接操作する手動解錠アームが前記フォークレバーに設けられていることを特徴とするモニター開閉装置。
【請求項４】
請求項１から請求項３までのいずれか１つに記載のモニター開閉装置において、前記フォークレバーは前記表示装置の側面に対して垂直に突出するように付勢され、前記ストライカーは前記表示装置の側面に設けられた凹部内に設けられていることを特徴とするモニター開閉装置。
【発明の詳細な説明】
【０００１】
【発明の属する技術分野】
本発明は、例えば建物や乗り物内等の所定の設置個所にテレビ等の表示装置を開閉動作可能に支持するモニター開閉装置に関するものである。
【０００２】
【従来の技術】
従来、例えば観光バスなどにおいては、テレビなどの表示装置を室内の天井面の所定箇所に設けられた収納位置と天井面から吊下状態とされる使用位置との間で開閉動作可能に支持するモニター開閉装置が用いられている（特開２００１−２１８１３１号公報参照）。
【０００３】
【発明が解決しようとする課題】
この種のモニター開閉装置においては、表示装置を閉位置すなわち収納位置にロックするロック装置が必要となるが、通常、表示装置は電気的に開閉駆動されるように構成されているため、ロック装置は電気的な開閉駆動に連動して施解錠できるとともに、停電時や修理、点検等の際には手動で施解錠することができるようになっていなければならない。
【０００４】
手動による施解錠を可能にする方法として、手動操作時にモータとの接続を切るクラッチ機構を設けることが考えられるが、構造が複雑になり装置全体が大型化するという問題が生じる。
【０００５】
また、車両用ドアロック装置等においては、突出したストライカーにロック装置のフォーク部材が係合するように構成されたロック装置が用いられているが、このような構成のロック装置をモニター開閉装置に用いると、使用時に天井面から吊下される表示装置の下端からストライカーが下方に突出してしまうため、人がテレビモニターの下を通行する際に邪魔になり、衝突の虞れもある。
【０００６】
したがって、本発明の第１の目的は、表示装置の電気的な開閉駆動に連動した施解錠とともに手動による施錠が可能で且つ構成の簡単なモニター開閉装置を提供することにある。
【０００７】
また、本発明の第２の目的は、表示装置の電気的な開閉駆動に連動した施解錠とともに手動による施解錠が可能で且つ構成の簡単なモニター開閉装置を提供することにある。
【０００８】
また、本発明の第３の目的は、表示装置の電気的な開閉駆動に連動した施解錠とともに手動による施解錠が可能で、構成が簡単で且つ安全性にも優れたモニター開閉装置を提供することにある。
【０００９】
【課題を解決するための手段】
上記課題を解決するために、本発明における第１の発明は、表示装置を車両等の天井面の所定箇所に設けられた収納位置と天井面から吊下状態とされる開位置との間で開閉動作可能に支持するモニター開閉装置であって、前記表示装置を開閉駆動する駆動装置と、前記表示装置を収納位置でロックするロック装置を備え、前記ロック装置は、前記表示装置の一端に設けられたストライカーと、該ストライカーから離間したアンロック位置から該ストライカーをロック可能なロック位置に向かう方向に付勢されたフォークレバーと、前記フォークレバーのアンロック位置からの進出を阻止するスライドプレートとを有し、前記スライドプレートは、前記表示装置が開位置から収納位置に近づいたとき該表示装置によって前記フォークレバーの進出を許容する方向に付勢されるように形成されていることを特徴とするものである。
【００１０】
上記構成を有するモニター開閉装置においては、スライドプレートを移動させればフォークレバーがアンロック位置からロック方向に進出されるように構成されており、ロック装置のロック作動が機械的に行われるように構成しているため、停電時でも表示装置を持ち上げてスライドプレートを移動させれば機械的にロックさせることができる。
【００１１】
また、第２の発明は、上記第１の発明に係る記載のモニター開閉装置において、前記ロック装置は、前記駆動装置による前記表示装置の開動作に連動して駆動するロックモーターと、前記ロックモーターによって回動されるロックカムとを有し、前記ロックカムは前記フォークレバーに当接して前記フォークレバーをアンロック位置に移動させる突出部を有し、前記ロックモーターは、前記フォークレバーがアンロック位置とされた後、前記突出部が前記フォークレバーの駆動範囲外に位置されるように、前記ロックカムを回転するように構成されていることを特徴とするものである。
【００１２】
上記構成のモニター開閉装置においては、ロックモーターはロックカムを回転させてロック装置を解錠した後、ロックカムの突出部をフォークレバーの駆動範囲外に位置させることができるので、ロックカムが駆動されているとき以外はフォークレバーにロックカムが干渉することはない。したがって、電気的に解錠操作した場合でも機械的にロック装置をロック作動させることができるとともに、フォークレバーを直接操作することによってロック装置を手動でもアンロックすることができる。
【００１３】
また、第３の発明は、上記第２の発明に係るモニター開閉装置において、前記フォークレバーを直接操作する手動解錠アームが前記フォークレバーに設けられていることを特徴とするものである。
【００１４】
上記構成によれば、フォークレバーの直接操作による手動解錠を容易に行うことができるモニター開閉装置を提供することができる。
【００１５】
また、第４の発明は、上記第１の発明から第３の発明までのいずれか１つに係るモニター開閉装置において、前記フォークレバーは前記表示装置の側面に対して垂直に突出するように付勢され、前記ストライカーは前記表示装置の側面に設けられた凹部内に設けられていることを特徴とするものである。
【００１６】
上記構成のモニター開閉装置においては、ストライカーを表示装置の側面に突出しないように設けることによって、表示装置が開位置にあるときにストライカーに人が衝突することを防止することができる。
【００１７】
【発明の実施の形態】
以下、図面を参照して本発明の好ましい実施形態を説明する。
【００１８】
図１から図１４までは本発明に係るモニター開閉装置の一実施形態を示したものである。
図１（ａ）はモニター開閉装置の底面図、（ｂ）は表示装置が閉じている状態の側面図、（ｃ）は表示装置が開いている状態の側面図である。
図２は図１に示すモニター開閉装置の内部を示す図１（ｂ）中２−２線に沿った断面図である。
図３は図１に示すモニター開閉装置の図２中３−３線に沿った断面図であり、図４は図１に示すモニター開閉装置の表示装置が開動作している状態を示す図３と類似の断面図である。
図５（ａ）は図１に示すモニター開閉装置のストライカー近傍の要部拡大断面側面図、（ｂ）はストライカー近傍の要部拡大断面正面図、（ｃ）はストライカー近傍の要部拡大横断面底面図、（ｄ）は（ｂ）中５ｄ−５ｄ線に沿う断面図である。
図６（ａ）、（ｂ）はそれぞれ図１に示すモニター開閉装置のロック装置の背面図及び正面図である。
図７（ａ）は図１に示すモニター開閉装置のロック装置がロック状態にあるときの要部断面側面図、（ｂ）はロック装置がアンロック状態にあるときの要部断面側面図である。
図８はロック装置がロック状態にあるときのロック装置内部を示す要部断面側面図であり、図９はロック装置が電気的にロックを解除しているときのロック装置内部を示す要部断面側面図である。
図１０はロック装置のロック解除が完了したときのロック装置内部を示す要部断面側面図であり、図１１は表示装置が収納位置から開動作を始めたときのロック装置内部を示す要部断面側面図である。
図１２はロック装置のスライドプレートがフォークレバーをアンロック位置に保っている状態を示す要部断面側面図であり、図１３はロック装置のフォークレバーを手動でロック解除したときの要部断面側面図である。
図１４はモニター開閉装置の動作を説明するタイムチャートである。
【００１９】
はじめに図１及び図２を参照すると、１０は車両等の室内天井部２に設けられる固定ベースであり、１１はパネル状の表示部１２を有する表示装置である。
パネル状の表示部１２としてはテレビ受信映像やビデオ等の録画映像等を表示できるものであればよく、特に限定されないが、例えば、液晶表示部、プラズマ放電式表示部等を用いることができる。
【００２０】
表示装置１１は、表示部１２の背面に取り付けられるモニターベース１３と、モニターベース１３の左右両側辺近傍においてモニターベース１３の背面側に固着された２つのモニターベースアーム１４，１４と、これらモニターベース１３及びモニターベースアーム１４，１４を取り囲むようにしてモニターベース１３に取り付けられたモニターケース１５とを有している。
【００２１】
モニターベースアーム１４，１４はそれぞれモニターベース１３の基端から突出して延びる一端部１４ａ、１４ａを有しており、モニターベース１３の基端側の側面と平行に延びる回動シャフト１８がこれらモニターベースアーム１４，１４の一端部１４ａ、１４ａにそれぞれシャフトステー１６，１６を介して固定して設けられている。
【００２２】
図２及び図３に示すように、固定ベース１０はベースプレート１９と、ベースカバー２０とを有しており、モニターベースアーム１４，１４の一端部を取り囲むモニターケース１５の外側において回動シャフト１８の両端近傍部位がそれぞれベアリング２１，２１を介してベースプレート１９に固設されたベアリングステー２２，２２に回動可能に支持されている。
これにより、表示装置１１は固定ベース１０に対し回動シャフト１８を支点として開閉動可能に支持されている。
【００２３】
また、ベースプレート１９には開閉駆動装置としてのステッピングモーター２８がモーターステー２９を介して取り付けられており、このステッピングモーター２８の駆動力がギア列３０を介して回動シャフト１８に伝達されるものとなっている。
【００２４】
ここでは、ギア列３０は、回動シャフト１８の長さ方向における略中央部にキーを介して一体的に取り付けられた被動ギア３１と、ステッピングモーター２８の出力軸３２に取り付けられて被動ギア３１と噛み合う駆動ギア３３とを有している。
【００２５】
さらに、ベースプレート１９には回動シャフト１８の回転角度を検出するためのポテンションメータ３５が取り付けられており、このポテンションメータ３５は被動ギア３１と噛み合って回転するポテンションギア３６を有している。
【００２６】
図２及び図３に示すように、ベアリングステー２２，２２の外方において、回動シャフト１８の両端部には該回動シャフト１８の軸線に直角な方向に延びて回動シャフト１８と一体に回動するアーム３７，３７が取り付けられている。
そして、これらアーム３７，３７の先端部とベースプレート１９上に設けられた取付部３８，３８との間にそれぞれアーム３７，３７を付勢する作動スプリングとしてのガススプリング３９，３９が取り付けられている。
このガススプリング３９は、シリンダチューブ内に封入した高圧ガスの圧力をばねとして利用するものである。
【００２７】
上記アーム３７は、表示装置１１が閉位置から所定角度の開位置（図１（ｃ）参照）まで回動するときガススプリング３９の付勢力が表示装置１１の重量による力のモーメントｆ１を打ち消す方向の力のモーメントｆ２として回動シャフト１８に作用するように、回動シャフト１８に取り付けられている。
【００２８】
より具体的には、表示装置１１が閉位置でほぼ水平姿勢にあるとき（図３参照）、アーム３７は回動シャフト１８からほぼ垂直に上方に延びる位置にあり、このとき、ガススプリング３９がほぼ水平姿勢にあってアーム３７と略直角をなすように配置される。
【００２９】
次に、上記モニター開閉装置に組み込まれているロック装置について説明すると、図２及び図５に示すように、モニターベース１３の先端側にはストライカー４０が取り付けられており、ベースプレート１９にはロック装置本体４１が取り付けられている。
【００３０】
図５（ａ）、（ｂ）、（ｃ）、（ｄ）に示すように、モニターケース１５の先端側の側面にはストライカー係合孔４２が形成されている。ストライカー４０はローラー形状を有しており、ストライカー係合孔４２の内側の凹部内に配置されてモニターベース１９に固定された一対のストライカーステー４３、４３に両端を支持されている。
【００３１】
図６、図７及び図８を参照すると、ロック装置本体２５は、ベースプレート１９に固定された一対のロックベース４４、４５を有しており、両ロックベース４４、４５間にはフォークレバー４６とスライドプレート４７が配置されている。
【００３２】
図６及び図８に示すように、フォークレバー４６はその基端部４６ａが取付軸４８を介して両ロックベース４４，４６に回動可能に取り付けられている。
フォークレバー４６はその基端部４６ａから先端部４６ｂまでが略Ｃ字状に形成されており、また、基端部４６ａと先端部４６ｂとの間の中間箇所から後方に向かって延びるアーム部４６ｃを有している。
このアーム部４６ｃの先端と一方のロックベース４４との間にコイルばね４９が張設されており、このコイルばね４９によって、フォークレバー４６は図１０に示すアンロック位置から図８に示すロック位置に向けて進出方向に付勢されている。
また、フォークレバー４６の先端部４６ｂは上下二股状に形成されており、これにより、ロック位置においてストライカー４０に係合可能となっている。
【００３３】
図６，図７及び図８に示すように、ロックベース４４，４５には上下方向に延びる長孔５０，５１が形成されており、スライドプレート４７に固定された係合ピン５２，５３がこれら長孔５０，５１に摺動可能に係合することにより、スライドプレート４７は、ロックベース４４，４５に対し、フォークレバー４５の進出を許容する位置（図８及び図９参照）と、フォークレバー４５の進出を阻止する位置（図１１及び図１２参照）との間を上下動可能となっている。
そして、スライドプレート４７と一方のベースプレート４４との間に張設されたコイルばね５４により、スライドプレート４７は下方すなわちフォークレバー４６の進出を阻止する位置に向けて付勢されている。
【００３４】
図７（ｂ）に示すように、スライドプレート４７の上部には、表示装置１１を収容する収容部の内方に向けて突出するモニター受け部４７ａが設けられている。このモニター受け部４７ａは、表示装置１１が下方に吊下された開位置から閉じる方向に回動されて収容位置すなわち閉位置に近づいたとき、表示装置１１の先端部上縁に当接する。
そして、表示装置１１の先端部上縁で上方に付勢されることにより、フォークレバー４５の進出を阻止する位置（図１１及び図１２参照）からフォークレバー４５の進出を許容する位置（図８及び図９参照）へと移動される。
【００３５】
図６（ａ）、（ｂ）に示すように、一方のベースプレート４４の外側には表示装置１１の開動作に連動して駆動するロックモーター５５が取り付けられており、ベースプレート４４の内側にはこのロックモーター５５によって回動されるロックカム５６が配置されている。
ロックカム５６はフォークレバー４６のアーム部４６ｃの下面側に当接してフォークレバー４６をアンロック位置に移動させる突出部５６ａを有している。
【００３６】
さらに、ロックモーター５５は、ロックカム５６の突出部５６ａが図１０及び図１１に示すロック解除位置へと移動してフォークレバー４６がアンロック位置へと移動したときに一旦停止し、その後、ロックカム５６の突出部５６ａがフォークレバー４６の駆動範囲外の待機位置（図８，図１２，図１３参照）へと復帰されるように、ロックカム５６を再び回動するように構成されている。
【００３７】
さらに、一方のベースプレート４４の内側にはロックカム５６の突出部５６ａが上記待機位置（図８、図１２，図１３参照）に到達したときに突出部５６ａに当接して検出信号を発するカムスイッチ５７と、フォークレバー４６がアンロック位置（図１０，図１１，図１２，図１３参照）に到達したときにフォークレバー４６に当接して検出信号を発するアンロック検出スイッチ５８とが設けられており、また、図７（ａ）、（ｂ）に示すように、他方のベースプレート４４の外側にはフォークレバー４６がロック位置（図７（ａ），図８参照）に到達したときにフォークレバー４６に当接して検出信号を発するロック検出スイッチ５９が設けられている。
【００３８】
さらに、フォークレバー４６には、このフォークレバー４６を直接操作する手動解錠アーム６０設けられており、この手動解錠アーム６０は、上記他方のベースプレート４５に形成された弧状の開口部６１からベースプレート４５の外方に突出している。
【００３９】
図２において、６２は表示部１２に必要電圧の電源を供給するためのコンバーターであり、例えば車両等の電源電圧ＤＣ２４ＶをＤＣ１２Ｖに変換して表示部１２に供給するように構成される。
また、６３はコントローラーであり、外部からの操作スイッチ（図示省略）の入力に応じて表示装置１１の開閉駆動制御及び上記ロック装置の施解錠制御を行うことができるものである。
これらコンバーター６２及びコントローラー６３は２つのモニターベースアーム１４，１５の内側におけるベースプレート１９上の空きスペースを利用してベースプレート１９上に設けられている。
【００４０】
次に、図８〜図１２及び図１４を参照して、上記構成を有するモニター開閉装置の動作、特に表示装置の開閉駆動及びロック装置の施解錠動作について説明する。
【００４１】
表示装置１１が収納位置にあるとき、外部の操作スイッチ（不図示）を操作して入力すると、ロックモーター５５が作動してロックカム５６が図８中時計方向に回動される。
これにより、ロックカム５６の突出部５６ａがカムスイッチ５７から離れるので、カムスイッチ５７がオン状態からオフ状態に切り替わる。
【００４２】
そして、ロックカム５６が約１８０゜回動する間に、ロックカム５６の突出部５６ａがフォークレバー４６のアーム部４６ｃを上方に押し上げるので、フォークレバー４６は図８に示すロック位置から図９に示す途中位置を経て図１０に示すアンロック位置まで移動される。
【００４３】
フォークレバー４６がロック位置から離れるとき、ロック検出スイッチ５９（図７参照）がオン状態からオフ状態に切り替わる。
また、フォークレバー４６がアンロック位置に到達すると、フォークレバー４６がアンロック検出スイッチ５８に当接することにより、アンロック検出スイッチ５８がオフ状態からオン状態へと切り替わる。
【００４４】
そして、アンロック検出スイッチ５８がオフ状態からオン状態へと切り替わると、ロック装置の解錠が完了するので、ロックモーター５５が一旦停止する。
また、アンロック検出スイッチ５８のオン信号により、ステッピングモーター２８が正転を開始し、回動シャフト１８を介して表示装置１１を収納位置から所定開位置に向けて回動させる。
【００４５】
表示装置１１の先端部が収納位置から下降を開始すると、それに伴ってスライドプレート４７が下降する（図１１、図１２参照）。
そして、スライドプレート４７がフォークレバー４６の進出を阻止する位置まで下降すると、表示装置１１の回動位置を検出するポテンションメーター３５の検出信号により、ロックモーター５５が再び回動を開始し、ロックカム５６を回動させて突出部５６ａをロック解除位置（図１１）から待機位置（図１２）へと移動復帰させる。
そして、ロックカム５６の突出部５６ａが待機位置に復帰すると、カムスイッチ５７がオン状態に復帰する。
【００４６】
表示装置１１がステッピングモーター２８により所定の開位置まで回動されて停止すると、ステッピングモーター２８が持っている静止トルクにより、表示装置１１は開位置に保持される。
【００４７】
次に、開位置にある表示装置１１を収納するときは、操作スイッチを入力すると、ステッピングモーター２８が逆転を開始し、表示装置１１を閉動させる。
【００４８】
表示装置１１が収納位置に近づくと、表示装置１１の先端側上縁がスライドプレート４７のモニター受け部４７ａに当接し、スライドプレート４７を上方に押し上げる。
【００４９】
そして、表示装置１１が収納位置に到達したとき、スライドプレート４７がフォークレバー４６の進出を許容する位置に到達するので、フォークレバー４７はスライドプレート４７から解放され、コイルばね４９のばね力によりロック位置へと移動する。このとき、フォークレバー４６がアンロック検出スイッチ５８から離れるので、アンロック検出スイッチ５８がオン状態からオフ状態へと切り替わる。そして、フォークレバー４６がロック位置に到達すると、フォークレバー４６がロック検出スイッチ５９に当接するので、ロック検出スイッチ５９がオフ状態からオン状態へと切り替わる。
このロック検出スイッチ５９のロック検出信号（オン信号）によりロック装置の施錠完了が検出されるので、ステッピングモーター２８への供給電源を止めることができる。
【００５０】
一方、例えば、表示装置１１の使用中に停電となった場合、表示装置１１を手動操作により、収納位置へと回動させると、上記したように、スライドプレート４７が表示装置１１による付勢力によってフォークレバー４６の進出を許容する位置へと機械的に移動され、また、フォークレバー４６の進出を許容する位置へと移動したとき、フォークレバー４６はアンロック位置からロック位置へと機械的に移動されるので、停電時であっても表示装置１１の収納及びロック装置施錠動作を手動操作のみで支障なく行うことができる。
【００５１】
さらに、収納位置にある表示装置１１を例えば修理や点検等のために手動で開動させる必要があるときは、モニターケース２０の外部からモニターケース２０のフォークレバー４６に設けられている手動解錠アーム６０を手動操作することにより、フォークレバー４６をロック位置からアンロック位置へと移動させることができるので、ロック装置を手動で解錠することができる。
【００５２】
以上図示実施形態につき説明したが、本発明は上記実施形態の態様のみに限定されるものではなく、特許請求の範囲に記載した範囲内でその構成要素に種々の変更を加えることができる。
例えば、上記実施形態においては回転駆動手段としてステッピングモーターを用いているが、他の電動モーターやエアーシリンダー等を用いてもよい。また、ロック装置における構成部品の形状、配置等に変更を加えることができる。
【００５３】
【発明の効果】
以上の説明から明らかなように、本発明によれば、スライドプレートを移動させればフォークレバーがアンロック位置からロック方向に進出されるように構成されており、ロック装置のロック作動が機械的に行われるように構成しているため、停電時でも表示装置を持ち上げてスライドプレートを移動させれば機械的にロックさせることができる。
したがって、表示装置の電気的な開閉駆動に連動した施解錠とともに手動による施錠が可能で且つ構成の簡単なモニター開閉装置を提供することができる。
【００５４】
また、ロックモーターはロックカムを回転させてロック装置を解錠した後、ロックカムの突出部をフォークレバーの駆動範囲外に位置させることができるので、ロックカムが駆動されているとき以外はフォークレバーにロックカムが干渉することはない。
したがって、電気的に解錠操作した場合でも機械的にロック装置をロック作動させることができるとともに、フォークレバーを直接操作することによってロック装置を手動でもアンロックすることができる。
したがって、表示装置の電気的な開閉駆動に連動した施解錠とともに手動による施解錠が可能で且つ構成の簡単なモニター開閉装置を提供することができる。
【００５５】
さらに、ストライカーを表示装置の側面に突出しないように設けることによって、表示装置が開位置にあるときにストライカーに人が衝突することを防止することができる。
したがって、表示装置の電気的な開閉駆動に連動した施解錠とともに手動による施解錠が可能で、構成が簡単で且つ安全性にも優れたモニター開閉装置を提供することができる。
【図面の簡単な説明】
【図１】本発明の一実施形態に係るモニター開閉装置を示すもので、（ａ）は底面図、（ｂ）は表示装置が閉じている状態の側面図、（ｃ）は表示装置が開いている状態の側面図である。
【図２】図１に示すモニター開閉装置の内部を示す図１（ｂ）中２−２線に沿った断面図である。
【図３】図１に示すモニター開閉装置の図２中３−３線に沿った断面図である。
【図４】図１に示すモニター開閉装置の表示装置が開動作している状態を示す図３と類似の断面図である。
【図５】（ａ）は図１に示すモニター開閉装置のストライカー近傍の要部拡大断面側面図、（ｂ）はストライカー近傍の要部拡大断面正面図、（ｃ）はストライカー近傍の要部拡大横断面底面図、（ｄ）は（ｂ）中５ｄ−５ｄ線に沿う断面図である。
【図６】（ａ）、（ｂ）はそれぞれ図１に示すモニター開閉装置のロック装置の背面図及び正面図である。
【図７】（ａ）は図１に示すモニター開閉装置のロック装置がロック状態にあるときの要部断面側面図、（ｂ）はロック装置がアンロック状態にあるときの要部断面側面図である。
【図８】上記ロック装置がロック状態にあるときのロック装置内部を示す要部断面側面図である。
【図９】上記ロック装置が電気的にロックを解除しているときのロック装置内部を示す要部断面側面図である。
【図１０】上記ロック装置のロック解除が完了したときのロック装置内部を示す要部断面側面図である。
【図１１】表示装置が収納位置から開動作を始めたときのロック装置内部を示す要部断面側面図である。
【図１２】上記ロック装置のスライドプレートがフォークレバーをアンロック位置に保っている状態を示す要部断面側面図である。
【図１３】上記ロック装置のフォークレバーを手動でロック解除したときの要部断面側面図である。
【図１４】図１に示すモニター開閉装置の動作を説明するタイムチャートである。
【符号の説明】
１０    固定ベース
１１    表示装置
１２    表示部
１３    モニターベース
１４    モニターベースアーム
１８    回動シャフト
１９    ベースプレート
２８    ステッピングモーター（駆動装置）
３０    ギア列
３５    ポテンションメータ
３７    アーム
３８    ガススプリング
４０    ストライカー
４１    ロック装置本体
４４，４５    ベースプレート
４６    フォークレバー
４７    スライドプレート
４９    コイルばね
５５    ロックモーター
５６    ロックカム
５６ａ    突出部
６０    手動解錠アーム
【図１】
2004214791.tif 000003
【図２】
2004214791.tif 000004
【図３】
2004214791.tif 000005
【図４】
2004214791.tif 000006
【図５】
2004214791.tif 000007
【図６】
2004214791.tif 000008
【図７】
2004214791.tif 000009
【図８】
2004214791.tif 000010
【図９】
2004214791.tif 000011
【図１０】
2004214791.tif 000012
【図１１】
2004214791.tif 000013
【図１２】
2004214791.tif 000014
【図１３】
2004214791.tif 000015
【図１４】
2004214791.tif 000016